(57)【特許請求の範囲】
【請求項１】
天井に埋め込まれた状態で取り付けられ、吸引口（６）と送風口（７）とを構成するために下方に向けて開放した下部開口を備える本体フレーム（２）と、
前記本体フレーム（２）内部における前記下部開口の直上であって、前記吸引口（６）から送風口（７）に至る空気流中に配置されており、冷媒が流れる接続配管（４，５）と接続されている熱交換機（１２）と、
前記下部開口からみて前記熱交換機の奥側に配置された内方配置部品（１１）と、
を備える天井埋込型室内機（１）であって、
前記熱交換機（１２）が、その一部を前記本体フレーム（２）側に支持された状態で、熱交換機（１２）よりも奥側に配置された内方配置部品（１１）を外方に露出させる位置に回動可能である天井埋込型室内機。
【請求項２】
前記送風口（７）の上方に配置され、前記吸引口（６）から送風口（７）に至る空気流を生成するファン（１１）と、前記ファン（１１）を駆動するためのファンモータとを備え、
前記熱交換機（１２）が、前記ファン（１１）およびファンモータと平面視で一部が重合する所定の取付位置と、前記ファン（１１）およびファンモータが下方より着脱可能となるように外方に露出させるメンテナンス位置との間で移動可能である、
請求項１に記載の天井埋込型室内機。
【請求項３】
前記本体フレーム（２）内部に設けられ、前記熱交換機（１２）を前記取付位置に固定することが可能であるとともに、前記熱交換機（１２）をメンテナンス位置に支持する取付部材（２４）をさらに有する、
請求項１または２に記載の天井埋込型室内機。
【請求項４】
前記熱交換機（１２）は上端部に係合部（４１）を有し、前記取付部材（２４）は前記係合部（４１）を支持する支持部（３２）を有し、前記係合部（４１）が前記支持部（３２）に係合することによって、前記熱交換機（１２）がメンテナンス位置に回動可能となる、
請求項３に記載の天井埋込型室内機。
【請求項５】
前記熱交換機（１２）は、前記所定の取付位置と、前記係合部（４１）が前記取付部材（２４）の支持部（３２）に係合する係合位置との間でスライド可能である、
請求項４に記載の天井埋込型室内機。
【請求項６】
前記熱交換機（１２）は、前記内部に冷媒が循環する伝熱管（１４）と、前記伝熱管（１４）の左右両端部を支持する管板（１３）とを備え、
前記係合部（４１）は、前記管板（１３）の上端部に設けられる上部が折曲された略Ｖ字形状の係合部材によって構成され、
前記支持部（３２）は、前記係合部材を受け入れる支持開口（３１）の一端縁によって構成される、
請求項５に記載の天井埋込型室内機。
【請求項７】
前記熱交換機（１２）は、前記管板（１３）から伝熱管（１４）上面側に延設される被案内片（４５）を有し、
前記取付部材（２４）は、前記被案内片（４５）の上面に当接する上部当接面（３３）と、前記被案内片（４５）の下面に当接する下部当接面（３４）と、前記熱交換機（１２）が前記取付位置となるように前記被案内片（４５）の位置規制を行う位置規制部（３７）とを有し、
前記上部当接面（３３）と下部当接面（３４）とによって前記被案内片（４５）を案内することによって前記熱交換機（１２）を前記取付位置と係合位置との間で移動させ、前記被案内片（４５）を位置規制部（３７）により位置規制することによって前記熱交換機（１２）を前記取付位置に位置させ、前記熱交換機（１２）が係合位置になったとき、前記係合部材（４１）が前記支持開口（３１）の一端縁（３２）に係合するとともに前記被案内片（４５）が前記下部当接面（３４）から離脱して前記係合部材（４１）を中心に回動可能とする、
請求項６に記載の天井埋込型室内機。
【請求項８】
前記係合部材（４１）および被案内片（４５）は、前記管板（１３）の一部を折曲して一体的に形成される、
請求項７に記載の天井埋込型室内機。
【請求項９】
前記熱交換機（１２）の回動中心となる位置は、前記接続配管（４，５）との接続位置の近傍である、
請求項１から８のいずれか１項に記載の天井埋込型室内機。
【請求項１０】
前記熱交換機（１２）は、上端に係合部（４１）を備えており、前記係合部（４１）を中心として回動する、
請求項１から９のいずれか１項に記載の天井埋込型室内機。
【発明の詳細な説明】
【０００１】
【発明の属する技術分野】
本発明は、天井埋込型室内機に関し、特に、天井埋込カセット型室内機における熱交換機の取り付け構造に関する。
【０００２】
【従来の技術】
エアコンの室内機では、吸引口と送風口とを有し、内部に配置されたファンを駆動して吸引口から送風口に至る空気流を生成している。このファンによって生成された空気流中には、内部に冷媒が循環する伝熱管を備えた熱交換機が配置されている。吸引口から吸入された空気は、熱交換機を通過する間に、冷却または加熱されて送風口から排出される。
【０００３】
熱交換機の効率を高めるためには、吸引口から吸入される空気と接触する熱交換機の表面積をできるだけ大きくする必要があり、室内機に設けられるファンやファンモータなどを取り囲むような状態で熱交換機を取り付けられる。このため、ファンやファンモータの点検もしくは取り替えなどの際に、熱交換機を取り外してからメンテナンス作業を行う必要がある。
【０００４】
特に、天井埋込カセット型室内機では、天井に埋め込まれた状態で取り付けられる本体フレームと、この本体フレームの下面に取り付けられる前面パネルとを備えており、この内部に熱交換機、ファンおよびファンモータなどが取り付けられている。熱交換機は、平面視でその一部がファンおよびファンモータと重合する状態で、ファンおよびファンモータよりも下方に位置するように配置されている。したがって、ファンおよびファンモータの点検または取り替えを行う際には、前面パネルを取り外し、さらに熱交換機を取り外して、作業を行うこととなる。
【０００５】
【発明が解決しようとする課題】
室内機に設けられている熱交換機には、室外機から冷媒を供給し、熱交換を終えた冷媒を室外機に回収するための接続配管が取り付けられている。したがって、ファンおよびファンモータの点検または取り替えを行う際には、伝熱管および接続配管内に残留している冷媒を室外機に回収し、接続配管を外してから、熱交換機を取り外す必要がある。したがって、作業が煩雑であるとともに、落下などの危険が伴う。また、接続配管を再接続する際に作業不良があれば、冷媒が漏出するおそれがある。
【０００６】
本発明は、ファンおよびファンモータの点検、取り替え作業において煩雑な作業をなくして簡便化した天井埋込型室内機を提供する。
【０００７】
【課題を解決するための手段】
本発明に係る天井埋込型室内機は、天井に埋め込まれた状態で取り付けられ、吸引口と送風口とを構成するために下方に向けて開放した下部開口を備える本体フレームと、本体フレーム内部における下部開口の直上であって、吸引口から送風口に至る空気流中に配置されており、冷媒が流れる接続配管と接続されている熱交換機と、下部開口からみて熱交換機の奥側に配置された内方配置部品とを備え、熱交換機が、その一部を本体フレーム側に支持された状態で、熱交換機よりも奥側に配置された内方配置部品を外方に露出させる位置に回動可能となっている。
【０００８】
このことにより、熱交換機に接続されている接続配管を取り外すことなく、本体フレーム内部を外方に露出することができ、メンテナンス作業などが容易なものとなる。
ここで、送風口の上方に配置され、吸引口から送風口に至る空気流を生成するファンと、ファンを駆動するためのファンモータとを備え、熱交換機が、ファンおよびファンモータと平面視で一部が重合する所定の取付位置と、ファンおよびファンモータが下方より着脱可能となるように外方に露出させるメンテナンス位置との間で移動可能な構成とすることができる。
【０００９】
この場合には、ファンおよびファンモータの点検または取り替え作業を簡単なものとすることができる。
さらに、本体フレーム内部に設けられ、熱交換機を取付位置に固定することが可能であるとともに、熱交換機をメンテナンス位置に支持する取付部材をさらに有する構成とすることができる。
【００１０】
また、熱交換機は上端部に係合部を有し、取付部材は係合部を支持する支持部を有し、係合部が支持部に係合することによって、熱交換機がメンテナンス位置に回動可能となるように構成できる。
また、熱交換機は、所定の取付位置と、係合部が取付部材の支持部に係合する係合位置との間でスライド可能とすることができる。
【００１１】
さらに、熱交換機は、内部に冷媒が循環する伝熱管と、伝熱管の左右両端部を支持する管板とを備え、係合部は、管板の上端部に設けられる上部が折曲された略Ｖ字形状の係合部材であり、支持部は、係合部材を受け入れる支持開口の一端縁とすることができる。
また、熱交換機は、管板から伝熱管上面側に延設される被案内片を有し、取付部材は、被案内片の上面に当接する上部当接面と、被案内片の下面に当接する下部当接面と、熱交換機が取付位置となるように被案内片の位置規制を行う位置規制部とを有し、熱交換機を取付位置と係合位置との間で移動させるために上部当接面と下部当接面とによって被案内片を案内し、熱交換機が取付位置になったとき被案内片を位置規制部により位置規制し、熱交換機が係合位置になったとき、係合部材が支持開口の一端縁に係合するとともに被案内片が下部当接面から離脱して係合部材を中心に回動可能となるように構成できる。
【００１２】
このとき、係合部材および被案内片は、管板の一部を折曲して一体的に形成することができる。
また、熱交換機の回動中心となる位置は、接続配管との接続位置の近傍である。
また、熱交換機は、上端に係合部を備えており、係合部を中心として回動する。
【００１３】
【発明の実施の形態】
本発明に係る天井埋込カセット型室内機の１実施形態を図を用いて説明する。
図１〜図３は、本発明の１実施形態の外観を示す図であり、図４は一部を破断した内部の概略構造を示す図である。
この室内機１は、天井に埋め込まれた状態で取り付けられる本体フレーム２と、本体フレーム２の下面を閉塞するように取り付けられる前面パネル３とを備えている。本体フレーム２には、室外機（図示せず）との間で冷媒の入出力を行うための接続配管４，５が取り付けられている。
【００１４】
前面パネル３は、室内の空気を吸引するための吸引口６と、温度調整された空気を室内に排出する送風口７とを備えている。吸引口６には、格子状に構成されたグリル８と、その内部に配置されたフィルタ（図示せず）が取り付けられている。また、送風口７には、排出される空気の方向を規制するための可変ルーバ９が取り付けられている。
【００１５】
本体フレーム２内には、吸引口６から室内の空気を吸入して送風口７に至る空気流を生成するクロスフローファン１１と、クロスフローファン１１によって生成される空気流中に配置される熱交換機１２とが取り付けられている。クロスフローファン１１は、略円筒形状の本体でなり、その周面には長さ方向に平行な羽根が設けられている。このクロスフローファン１１は、図示しないファンモータによって回転駆動されることにより、回転軸に直交する方向に空気流を生成することができるようになっている。
【００１６】
熱交換機１２は、端部がＵ字形状に複数回折曲されて、クロスフローファン１１が生成する空気流と複数回交差するように構成された伝熱管１４と、伝熱管１４の両端部を支持する板状の管板１３と、伝熱管１４の長さ方向中間に取り付けられる放熱用のクロスフィン（図示せず）とを備えている。伝熱管１４は、接続配管４，５と接続され、室外機との間で冷媒の循環が行われる。伝熱管１４およびクロスフィンが、クロスフローファン１１の生成する空気流と接触することによって、吸引された空気と冷媒との間で熱交換が行われ、冷却または加熱された空気が送風口７より排出される。
【００１７】
フレーム本体２の内部には、図５に示すように、クロスフローファン１１、ファンモータおよび熱交換機１２が取り付けられる取付フレーム２１を備えている。取付フレーム２１は、クロスフローファン１１の上面側を支持するファン取付部２２と、クロスフローファン１１の長さ方向端部を下方から支持するとともにファンモータを下方から覆うモータカバー２３と、熱交換機１２を支持するための熱交換機支持部２４とを備えている。
【００１８】
図６に示すように、熱交換機１２の管板１３にはその上端に位置して係合部材４１が設けられている。係合部材４１は、管板１３の一部が伝熱管１４の上面側に折曲された基部４２と、基部４２から折曲部４３を介してさらに上方に折曲された突片４４とからなる略Ｖ字形状に形成されている。
また、熱交換機１２の管板１３には、長さ方向中間部に位置して被案内部４５が設けられている。この被案内部４５は、管板１３の一部が伝熱管１４の上面側に折曲されたものである。
【００１９】
熱交換機支持部２４の下面は、管板１３に設けられた係合部材４１の基部４２および被案内部４５と平行な案内面３５を構成している。被案内部４５に対応する位置には、被案内部４５を管板１３の上端縁と平行な方向に案内するための案内部３６が形成されている。案内部３６は、案内面３５の一部を切り起こして下部当接片３４を設けている。この下部当接片３４の上面は、被案内部４５の下面に当接する下部当接面を構成しており、熱交換機１２が所定の取付位置にあるとき、被案内部４５を下方より支持する。また、案内面３５の下部当接片３４以外の部分は、被案内部４５の上面に当接する上部当接面３３を構成しており、熱交換機１２が所定の取付位置にあるとき、被案内部４５を上方より支持する。下部当接片３４の上端に位置する案内面３５との接合部内面３７は、熱交換機１２が所定の取付位置にあるとき、被案内部４５の上端に当接して位置規制を行う位置規制部を構成している。
【００２０】
熱交換機支持部２４には、係合部材４１に対応する位置において、係合部材４１の突片４４を受け入れるための支持開口３１が設けられている。この支持開口３１は、被案内部４５の上端が案内部３６の接合部内面３７に当接している状態から、被案内部４５の下面が下部当接片３４から離脱する状態までの間、突片４４を受け入れるように設けられている。支持開口３１の下端縁３２は、係合部材４１の折曲部４３を係合する係合部を構成している。
【００２１】
熱交換機１２を取り付ける際は、係合部材４１の突片４４を支持開口３１に挿入し、管板１３の上端縁が案内面３５と平行に移動するように斜め上方に持ち上げる。被案内部４５が案内部３６の上部当接面３３と下部当接片３４との間に案内されて、上端が接合部内面３７に当接する位置まで熱交換機１２を移動すると所定の取付位置に到達したこととなる。ここで、熱交換機１２をビス止めするなどして固定することで、この所定の取付位置に固定することが可能となる。
【００２２】
熱交換機１２が所定の取付位置にある場合には、図５に示すように、熱交換機１２の下端側の一部が、クロスフローファン１１、ファンモータ（図示せず）と平面視で重合する位置にある。したがって、前面パネル３を本体フレーム２から外しても、クロスフローファン１１およびファンモータが熱交換機１２の上方に位置して点検、取り替えなどのメンテナンス作業が不可能な状態である。このとき、熱交換機１２の伝熱管１４に接続された接続配管４，５は、熱交換機１２が所定の取付位置にあることから、図７に示すように所定位置に位置している。
【００２３】
ファンモータ、クロスフローファン１１の点検または取り替えなどのメンテナンス作業を行う場合には、熱交換機１２を固定しているビス（図示せず）を外す。このことにより、熱交換機１２は自重により斜め下方に移動して、図８（Ａ）に示す係合位置に到達する。このとき、係合部材４１の折曲部４３が支持開口３１の下端縁３２に係合することによって、熱交換機１２が熱交換機支持部２４に支持されることとなる。また、このとき、被案内部４５の下面が下部当接片３４から離脱するため、熱交換機１２が係合部材４１の折曲部４３を中心に回動可能となる。このように、熱交換機１２が係合位置に位置するとき、接続配管４，５は、この熱交換機１２の移動に対応して、図８（Ｂ）に示すような位置となる。
【００２４】
係合部材４１の折曲部４３が、支持開口３１の下端縁３２に係合した状態で、係合部材４１を中心に熱交換機１２をクロスフローファン１１から遠ざかる方向に回動させることにより、図９（Ａ）に示すような、熱交換機１２の内方が外面に露出するメンテナンス位置に移動させることができる。この状態で、モータカバー２３を取り外して、ファンモータの点検、取り替えを行うことが可能となる。また、クロスフローファン１１を支持部から取り外して取り替えなどの作業を行うことが可能となる。このとき、接続配管４，５は、熱交換機１２の移動に対応して、図９（Ｂ）のような位置となる。
【００２５】
このようにした場合、熱交換機１２を所定の取付位置から係合位置まで移動させる間、被案内部４５が下部当接片３４に案内されているため、係合部材４１の折曲部４３が支持開口３１の下端縁３２に確実に係合される。したがって、ファンモータやクロスフローファン１１などの点検、取り替えなどのメンテナンス作業時に、熱交換機１２が落下することなく、作業を容易に行うことができる。
【００２６】
また、このときの接続配管４，５の移動距離は、図８（Ｂ）、図９（Ｂ）に示すように微小なものであり、許容できる範囲である。したがって、接続配管４，５を外すことなくメンテナンス作業を行うことが可能であり、作業の効率化を図ることができるとともに、再接続時の作業ミスなどによる冷媒の漏出を防止することができる。
【００２７】
メンテナンス作業が終了すれば、熱交換機１２を係合部材４１を中心に係合位置まで回動させて、被案内部４５の上面が案内部３６の上部当接面３３に当接させ、斜め上方に持ち上げる。このことにより、被案内部４５が案内部３６の上部当接面３３と下部当接片３４に案内され、熱交換機１２を所定の取付位置に移動させることができる。
【００２８】
【発明の効果】
本発明に係る天井埋込型室内機では、熱交換機が、その一部を本体フレーム側に支持された状態で、熱交換機よりも内方に位置する本体フレーム内部を外方に露出させる位置に移動可能となっているため、たとえばファンモータやクロスフローファンなどの内方に位置する部品の点検、取り替え作業などを容易にし、かつ安全に作業を行うことが可能となる。また、熱交換機に接続されている接続配管を取り外すことなく作業を行えるため、作業の効率化を図ることができ、再接続時のミスによる冷媒の漏出などを防止することが可能となる。
【図面の簡単な説明】
【図１】本発明の一実施形態が採用される室内機の長片方向からの外観図。
【図２】その下方からの外観図。
【図３】その短辺方向からの外観図。
【図４】その縦断面図。
【図５】内部構成を概略化した縦断面図。
【図６】その要部拡大図。
【図７】熱交換機の取付状態を示す縦断面図。
【図８】熱交換機の移動状態を示す縦断面図。
【図９】熱交換機の移動状態を示す縦断面図。
【符号の説明】
１  室内機
２  本体フレーム
３  前面パネル
４  接続配管
５  接続配管
６  吸引口
７  送風口
１１  クロスフローファン
１２  熱交換機
１３  管板
１４  伝熱管
３１  支持開口
３２  下端縁
３３  上部当接面
３４  下部当接片
３５  案内面
３６  案内部
４１  係合部材
４２  基部
４３  折曲部
４４  突片
【図１】
0003564602.tif 000002
【図２】
0003564602.tif 000003
【図３】
0003564602.tif 000004
【図４】
0003564602.tif 000005
【図５】
0003564602.tif 000006
【図６】
0003564602.tif 000007
【図７】
0003564602.tif 000008
【図８】
0003564602.tif 000009
【図９】
0003564602.tif 000010